(57)【特許請求の範囲】
【請求項１】
映像のうちの文字列が映し出されている文字列部分を前記文字列に文字認識する文字認識部と、
前記文字列を記憶装置に記録する文字列記録部と
を具備し、
前記文字列記録部は、前記文字列が記録された後に文字認識された新たな文字列が前記文字列に一致するときに、前記新たな文字列を前記記憶装置に記録しない
映像表示装置。
【請求項２】
請求項１に記載の映像表示装置であって、
入力装置を介して入力される形式で前記文字列をモニタに表示する文字列表示部
を更に具備する
映像表示装置。
【請求項３】
請求項１又は２に記載の映像表示装置であって、
前記文字認識部は、前記映像から前記文字列部分を抽出する切り出しエンジンを備え、
前記文字列部分の位置を認識可能に表現する図形が前記映像に配置された合成映像を生成する映像合成部と
を更に具備する
映像表示装置。
【請求項４】
請求項１乃至３のいずれか一項に記載の映像表示装置であって、
放送される信号を前記映像に変換するデータ解析部
を更に具備する
映像表示装置。
【請求項５】
公衆回線網を介して受信される情報をモニタに表示する携帯通信部と、
前記モニタに表示される映像のうちの文字列が映し出されている文字列部分を前記文字列に文字認識する文字検出部と、
前記文字列を記憶装置に記録する文字列記録部と
を具備し、
前記文字列記録部は、前記文字列が記録された後に文字認識された新たな文字列が前記文字列に一致するときに、前記新たな文字列を前記記憶装置に記録しない
携帯通信装置。
【請求項６】
請求項５に記載の携帯通信装置であって、
入力装置を介して入力される形式で前記文字列をモニタに表示する文字列表示部
を更に具備する
携帯通信装置。
【請求項７】
請求項５又は６に記載の携帯通信装置であって、
前記文字認識部は、前記映像から前記文字列部分を抽出する切り出しエンジンを備え、
前記文字列部分の位置を認識可能に表現する図形が前記映像に配置された合成映像を生成する映像合成部と
を更に具備する
携帯通信装置。
【請求項８】
請求項５乃至７のいずれか一項に記載の携帯通信装置であって、
放送される信号を前記映像に変換するデータ解析部
を更に具備する
携帯通信装置。
【請求項９】
映像のうちの文字列が映し出されている文字列部分を前記文字列に文字認識するステップと、
前記文字列を記憶装置に記録するステップと、
前記文字列が記録された後に文字認識された新たな文字列が前記文字列に一致するかどうか判別するステップと
を具備し、
前記新たな文字列は、前記新たな文字列が前記文字列に一致するときに、前記記憶装置に記録されない
映像表示方法。
【請求項１０】
請求項９に記載の映像表示方法であって、
入力装置を介して入力される形式で前記文字列をモニタに表示するステップ
を更に具備する
映像表示方法。
【請求項１１】
請求項９又は１０に記載の映像表示方法であって、
前記映像から前記文字列部分を抽出するステップと、
前記文字列部分の位置を認識可能に表現する図形が前記映像に配置された合成映像を生成するステップと
を更に具備する
映像表示方法。
【請求項１２】
請求項９乃至１１のいずれか一項に記載の映像表示方法であって、
放送される信号を前記映像に変換するステップ
を更に具備する
映像表示方法。
【請求項１３】
計算機により実行される映像表示プログラムであって、
映像のうちの文字列が映し出されている文字列部分を前記文字列に文字認識する文字検出ステップと、
前記文字列を記憶装置に記録する文字列記録ステップと
を具備し、
前記文字列記録ステップでは、前記文字列が記録された後に文字認識された新たな文字列が前記文字列に一致するときに、前記直後文字列を前記記憶装置に記録しない
映像表示プログラム。
【請求項１４】
請求項１３に記載の映像表示プログラムであって、
入力装置を介して入力される形式で前記文字列をモニタに表示する文字列表示ステップ
を更に具備する
映像表示プログラム。
【請求項１５】
請求項１３又は１４に記載の映像表示プログラムであって、
前記映像から前記文字列部分を抽出する切り出しステップと、
前記文字列部分の位置を認識可能に表現する図形が前記映像に配置された合成映像を生成する映像合成ステップと
を更に具備する
映像表示プログラム。
【請求項１６】
請求項１３乃至１５のいずれか一項に記載の映像表示プログラムであって、
放送される信号を前記映像に変換するデータ解析ステップ
を更に具備する
映像表示プログラム。
【発明の詳細な説明】
【技術分野】
【０００１】
本発明は、映像表示装置および映像表示方法に関し、特に、映像の内容を記録する映像表示装置および映像表示方法に関する。
【背景技術】
【０００２】
テレビ放送（たとえば、１セグ放送）される映像を表示することができる携帯電話機が知られている。その映像には、懸賞の応募先や歌詞に例示される文字列が映し出されることがある。１セグ放送の映像のサイズが小さく、携帯電話機の表示面が小さいことから、視聴者は、その映像に映し出される文字列を読み取ることに困難を伴っている。視聴者は、その携帯電話機に録画機能を備えていないときに、その文字列を後で確認することができない。視聴者は、その携帯電話機が録画機能を備えているときに、その映像を録画することにより、その文字列を後から確認することができる。携帯電話機は、搭載される記憶装置の記憶容量が足りなくて、映像を録画することができなかったときに、視聴者は、その映像の内容を後から確認することができない。このため、携帯電話機は、映像の内容をより多く記録することが望まれ、映像の内容をより少ない情報量で保存することが望まれている。
【０００３】
特開２００５−２７７９９２号公報には、映像データの表示画像の縦横のサイズを一定にして、表示部を縦長で使用する場合でも横長で使用する場合でも、地上波ディジタル放送の画像を正常に表示する通信端末装置が開示されている。その通信端末装置は、さらに、地上波ディジタル放送において映像データに多重化されたテキストデータの画像の表示を制御して、映像情報を主体として見るユーザにとっても、文字情報を主体として見るユーザにとっても、より見やすいテレビ画像を可能にする。その通信端末装置は、受信手段と表示手段と機構手段と画像処理手段とを備えている。その受信手段は、映像データとテキストデータとが多重化されたテレビジョン放送を受信する。その表示手段は、前記受信手段によって受信された映像データおよびテキストデータの画像を表示する。その機構手段は、操作に応じて前記表示手段を収容している収容部を第１の変位状態又は第２の変位状態に設定させることを可能にする。その画像処理手段は、前記収容部が前記第１の変位状態に設定された場合には、前記受信手段によって受信された映像データの画像を前記表示手段の一部の表示エリアに表示し、前記受信手段によって受信されたテキストデータの画像を他の表示エリアに表示する画像処理を行う。その画像処理手段は、さらに、前記収容部が前記第２の変位状態に設定された場合には、前記受信手段によって受信された映像データの画像を前記表示手段の全部の表示エリアに表示し、前記受信手段によって受信されたテキストデータの画像を映像データの画像に重畳して表示する画像処理を行う。
【０００４】
特開２００７−０５３７９６号公報には、デジタル放送の視聴と電話の“ながら通話”を可能とし、デジタル放送の字幕放送の表示を最小時間とする通信装置が開示されている。その通信装置は、多重データ受信部と抽出部と電話部と音声出力部と表示出力部とを有している。その多重データ受信部は、少なくとも音声データと映像データ又は文字データとが含まれた多重データを受信する。その抽出部は、前記多重データから前記音声データと前記映像データ又は前記文字データとを抽出する。その電話部は、電話音声データの送受信を行う。その音声出力部は、前記抽出部により抽出された抽出音声データ又は前記電話部により受信された前記電話音声データのいずれかを出力する。その通信装置は、前記電話音声データの送受信中に多重データの受信を開始するイベントの発生を検知した場合に、前記電話音声データの送受信を継続するとともに前記多重データの受信を開始させる。その通信装置は、前記音声出力部に前記電話音声データを出力させ、前記表示出力部に前記抽出映像データ及び前記抽出文字データの少なくともいずれかを出力させることを特徴としている。
【０００５】
特開２００７−０７４５２８号公報には、記録容量が小さい記録媒体であっても、ディジタル放送を長時間記録する多重化データ記録装置が開示されている。その多重化データ記録装置は、多重化データの記録を行う多重化データ記録装置であって、記録指示手段と多重化データ選別手段と多重化手段とを備えることを特徴としている。その記録指示手段は、多重化データを入力とし、音声データのみを記録することを指示し、または音声データと代表画像データのみを抽出することを指示する。その多重化データ選別手段は、多重化データに含まれる音声データを抽出する。その多重化手段は、前記音声データと代表画像データを多重化して、記録媒体に記録する。
【０００６】
【特許文献１】特開２００５−２７７９９２号公報
【特許文献２】特開２００７−０５３７９６号公報
【特許文献３】特開２００７−０７４５２８号公報
【発明の開示】
【発明が解決しようとする課題】
【０００７】
本発明の目的は、上述された課題である映像の内容を後から確認することができなくなる問題点を解決するものであり、映像の内容をより少ない情報量で保存する映像表示装置および映像表示方法を提供することにある。
【課題を解決するための手段】
【０００８】
本発明による映像表示装置は、映像のうちの文字列が映し出されている文字列部分を文字列に文字認識する文字検出部と、その文字列を記憶装置に記録する文字列記録部とを備えている。
【０００９】
本発明による携帯通信装置は、携帯通信部と文字検出部と文字列記録部とを備えている。その携帯通信部は、公衆回線網を介して受信される情報をモニタに表示する。その文字検出部は、そのモニタに表示される映像のうちの文字列が映し出されている文字列部分を文字列に文字認識する。その文字列記録部は、その文字列を記憶装置に記録する。
【００１０】
本発明による映像表示方法は、映像のうちの文字列が映し出されている文字列部分を文字列に文字認識するステップと、その文字列を記憶装置に記録するステップとを備えている。  
【００１１】
本発明による映像表示プログラムは、映像のうちの文字列が映し出されている文字列部分を文字列に文字認識するプログラムと、その文字列を記憶装置に記録するプログラムとを備えている。
【発明の効果】
【００１２】
本発明による映像表示装置および映像表示方法は、映像に映し出される文字列を記録することにより、その映像の内容をより少ない情報量で記録することができる。
【発明を実施するための最良の形態】
【００１３】
図面を参照して、本発明による映像表示装置の実施の形態を記載する。その映像表示装置１は、図１に示されているように、いわゆる携帯電話機であり、操作部２と通信装置３とマイク５とスピーカ６とモニタ７とチューナ８と記憶装置１２とを備えている。映像表示装置１は、さらに、これらの機器を制御する電気回路を備えている。操作部２は、キーボードから形成され、ユーザに操作されることにより情報を生成し、その情報をその電気回路に出力する。通信装置３は、通信回線網を介してその電気回路により生成された情報を他のコンピュータに送信し、その通信回線網を介して他のコンピュータから出力された情報をその電気回路に出力する。その通信回線網としては、ＬＡＮ（Ｌｏｃａｌ  Ａｒｅａ  Ｎｅｔｗｏｒｋ）、インターネット、携帯電話通信網、専用回線が例示される。マイク５は、音声を収音し、その音声を示す情報をその電気回路に出力する。スピーカ６は、その電気回路により生成される音声を出力する。モニタ７は、その電気回路により生成される映像を表示する。チューナ８は、その電気回路により選局されたテレビ放送を受信して放送データを生成し、その放送データをその電気回路に出力する。そのテレビ放送としては、地上アナログ放送、地上デジタル放送（１セグ放送）、衛星放送が例示される。記憶装置１２は、その電気回路により生成された情報を映像表示装置１から着脱可能な記録媒体に記録し、記録媒体に記録されている情報をその電気回路に出力する。その記録媒体としては、フラッシュメモリが例示される。
【００１４】
その電気回路は、携帯通信部１４とモード選択部１５とデータ解析部１６と音声デコーダ１７と映像デコーダ１８と文字検出部１０と文字列記録部２１と映像合成部２２と文字列表示部２３とを含んでいる。
【００１５】
携帯通信部１４は、映像表示装置１を携帯電話機として機能させる。すなわち、携帯通信部１４は、操作部２に入力される所定の操作に応答して、通信装置３を用いて、マイク５により収音された音声を他のコンピュータに送信し、そのコンピュータから受信された音声をスピーカ６から出力する。携帯通信部１４は、さらに、操作部２に入力される所定の操作に応答して、通信装置３を用いて、操作部２を介して作成された電子メールを他のコンピュータに送信し、そのコンピュータから受信された電子メールをモニタ７に表示する。
【００１６】
モード選択部１５は、操作部２を介して入力された情報に基づいて複数のモードからモードを選択する。その複数のモードは、記録モードと非記録モードと合成モードと非合成モードとを含んでいる。
【００１７】
データ解析部１６は、チューナ８により生成された放送データを解析することにより番組情報と映像データと音声データとを生成する。その番組情報は、チューナ８により受信された番組を識別する情報を示している。その映像データは、チューナ８により受信された映像を示している。その音声データは、チューナ８により受信された音声を示している。
【００１８】
音声デコーダ１７は、データ解析部１６により生成された音声データを音声にデコードし、その音声をスピーカ６から出力する。映像デコーダ１８は、データ解析部１６により生成された映像データを映像にデコードする。映像デコーダ１８は、さらに、モード選択部１５により非合成モードが選択されたときに、その映像をモニタ７に表示する。
【００１９】
文字検出部１０は、映像デコーダ１８によりデコードされた映像のうちの文字列が映し出されている文字列部分を前記文字列に文字認識する。すなわち、文字検出部１０は、ビデオＲＡＭ（Ｒａｎｄｏｍ  Ａｃｃｅｓｓ  Ｍｅｍｏｒｙ）１１と切り出しエンジン１９と認識エンジン２０とを備えている。ビデオＲＡＭ１１は、映像デコーダ１８によりデコードされた映像を一時的に記録する。切り出しエンジン１９は、ビデオＲＡＭ１１に記録された映像に映し出されている文字列を示す文字列部分を生成する。認識エンジン２０は、図形を文字に対応付けるＯＣＲ（Ｏｐｔｉｃａｌ  Ｃｈａｒａｃｔｅｒ  Ｒｅａｄｅｒ）辞書２４を備えている。認識エンジン２０は、ＯＣＲ辞書２４を参照して切り出しエンジン１９により生成された文字列部分から文字を見つけ、その文字列部分を文字列に文字認識する。
【００２０】
文字列記録部２１は、モード選択部１５により記録モードが選択されたときに、文字検出部１０により文字認識された文字列を示すテーブルを記憶装置１２に記録する。
【００２１】
映像合成部２２は、モード選択部１５により合成モードが選択されたときに、映像デコーダ１８によりデコードされた映像と切り出しエンジン１９により抽出された文字列部分とに基づいて合成映像を生成する。映像合成部２２は、さらに、その合成映像をモニタ７に表示する。
【００２２】
文字列表示部２３は、操作部２に入力された情報に基づいて記憶装置１２に記録されたテーブルが示す複数の文字列からいくつかの文字列を選択し、操作部２を介して入力された表示形式でその選択された文字列をモニタ７に表示する。その表示形式としては、フォント、文字サイズが例示される。
【００２３】
図２は、映像デコーダ１８によりデコードされた映像の例を示している。その映像２５には、文字列２６が映し出されている。このとき、切り出しエンジン１９は、映像２５から文字列の特徴を判断し、映像２５のうちから文字列２６が記載されている領域である文字列部分２７を切り出し、文字列部分２７に映し出されている映像を文字列部分として生成する。その特徴としては、「文字列は水平／垂直に同じ大きさで並ぶこと」、「文字は前景色と背景色の基本的に２色で構成されること」といったことが例示される。文字列部分２７は、長方形に形成されている。
【００２４】
図３は、映像２５に基づいて映像合成部２２により生成される合成映像の例を示している。その合成映像２８は、映像２５と枠２９とを映し出している。枠２９は、長方形を形成する４つの線分から形成され、映像２５の文字列部分２７を囲んでいる。
【００２５】
図４は、記憶装置１２に記録されるテーブルを示している。そのテーブル３１は、文字列識別子集合３２を文字列集合３３に対応付けている。すなわち、文字列識別子集合３２のうちの任意の要素は、文字列集合３３のうちの１つの要素に対応している。文字列識別子集合３２の要素は、認識エンジン２０により文字認識された文字列を識別する文字列識別子を示し、その文字列が映像に映し出された番組とその文字列が映像に映し出された日時とを示している。文字列集合３３のうちのある文字列識別子に対応する要素は、その文字列識別子により識別される文字列を示している。
【００２６】
本発明による映像表示方法の実施の形態は、映像表示装置１により実行され、文字列を記録する動作と文字列を表示する動作とを備えている。
【００２７】
図５は、その文字列を記録する動作を示している。映像表示装置１は、操作部２を操作することによりユーザが視聴したいテレビ放送を選局することに応答して、チューナ８を用いてその選局されたテレビ放送を受信して放送データを生成する（ステップＳ１）。映像表示装置１は、その放送データを解析することにより番組情報と映像データと音声データとを生成する（ステップＳ２）。映像表示装置１は、その映像データを映像２５にデコードし、その映像をビデオＲＡＭ１１に記録する（ステップＳ３）。
【００２８】
映像表示装置１は、操作部２を操作することによりユーザが選択したモードを判別する（ステップＳ４）。映像表示装置１は、ユーザにより記録モードが選択されているときに（ステップＳ４、ＹＥＳ）、ビデオＲＡＭ１１に記録されている映像２５から文字列部分２７を切り出す（ステップＳ５）。映像表示装置１は、その映像２５に文字列２６が映し出されているときに（ステップＳ５、ＹＥＳ）、その文字列部分２７を文字列２６に文字認識する（ステップＳ６）。
【００２９】
映像表示装置１は、その文字認識された文字列２６が記憶装置１２に前に記録された文字列に一致していないときに（ステップＳ７、ＮＯ）、番組情報と現在日時とに対応付けてその文字認識された文字列２６を記憶装置１２に記録する（ステップＳ８）。このような記録動作によれば、映像表示装置１は、歌と同時に表示される歌詞に例示される次々に表示される文字列を何度も繰り返して記録しないようになり、記憶装置１２に記録される情報の情報量をより低減することができる。
【００３０】
映像表示装置１は、記録モードが選択され、かつ、合成モードが選択されている場合で、映像内に文字列部分２７が発見されたときに、ビデオＲＡＭ１１に記録されている映像２５と切り出された文字列部分２７とに基づいて、映像２５に文字列２６を囲む枠２９が合成された合成映像２８を生成する（ステップＳ９）。
【００３１】
映像表示装置１は、記録モードが選択され、かつ、合成モードが選択されている場合で、映像内に文字列部分２７が発見されたときに、その合成映像２８をモニタ７に表示する。映像表示装置１は、非記録モードが選択され、または、非合成モードが選択されているときに、または、映像内に文字列部分２７が発見されていないときに、映像データからデコードされた映像２５をそのままモニタ７に表示する（ステップＳ１０）。このような表示動作によれば、ユーザは、どの部分が文字として検出されたかを容易に知ることが可能である。
【００３２】
このような動作によれば、映像表示装置１は、ユーザの指示により、テレビ放送される映像に映し出される文字列を記憶装置１２に記録することができ、映像を録画することに比較して、映像の内容をより小さい情報量で記録することができる。その結果、映像表示装置１は、映像の内容を記録するための記憶装置１２の記録容量を小さく設計されることができ、好ましい。
【００３３】
図６は、その文字列を表示する動作を示している。ユーザは、予め、操作部２を操作することによりフォントと文字サイズとを映像表示装置１に入力する（ステップＳ２１）。ユーザは、次いで、操作部２を操作することにより条件を入力する。映像表示装置１は、記憶装置１２に記録されているテーブル３１を参照して、文字列識別子集合３２からその条件を満足する文字列識別子を選択し、文字列集合３３のうちのその選択された文字列識別子に対応する文字列を選択する（ステップＳ２２）。映像表示装置１は、その入力されたフォントと文字サイズとでその選択された文字列をモニタ７に表示する（ステップＳ２３）。
【００３４】
このような文字列を記録する動作によれば、ユーザは、モニタ７が表示する映像２５に映し出される文字列２６が見難い場合であっても、ユーザ自身が読みやすい表示形式でモニタ７にその文字列を表示させることにより、その文字列を容易に確認することができる。
【００３５】
さらに、ユーザは、記憶装置１２が映像表示装置１から着脱可能な記録媒体であるときに、その記録媒体を読み込み可能な他のコンピュータにその文字列を表示する動作を実行されることにより、同様にして、読みやすい表示形式でその文字列を確認することができる。
【００３６】
なお、映像表示装置１は、携帯電話機と異なる装置に適用することもできる。その装置としては、表示面が小さいテレビが例示される。このような装置は、映像表示装置１と同様にして、映像の内容をより小さい情報量で記録することができ、その文字列をより容易に確認することができる。
【００３７】
図７は、本発明による映像表示装置の実施の他の形態を示している。その映像表示装置４０は、記憶装置４１と文字検出部４２と文字列記録部４３とを備えている。記憶装置４１は、既述の実施の形態における記憶装置１２と同様にして、文字列記録部４３に制御されて、入力された情報を映像表示装置４０から着脱可能な記録媒体に記録する。文字検出部４２は、既述の実施の形態における文字検出部１０と同様にして、外部から入力される映像２５のうちから文字列２６が映し出されている文字列部分２７を切り出し、文字列部分２７を文字列２６に文字認識する。文字列記録部４３は、文字検出部４２により文字認識された文字列を記憶装置４１の記録媒体に記録する。
【００３８】
映像表示装置４０は、外部から映像２５が入力された場合で、映像２５に文字列２６が映し出されているときに、映像２５のうちから文字列２６が記載されている文字列部分２７を切り出し、文字列部分２７を文字列２６に文字認識する。映像表示装置４０は、その文字認識が実行されてときに、その文字認識された文字列２６を記憶装置４１に記録する。
【００３９】
このとき、映像表示装置４０は、入力された映像に映し出される文字列を記憶装置４１に記録することができ、その映像を録画することに比較して、その映像の内容をより小さい情報量で記録することができる。その結果、映像表示装置４０は、映像の内容を記録するための記憶装置４１の記録容量を小さく設計されることができ、好ましい。
【００４０】
なお、文字列記録部４３は、既述の実施の形態における文字列記録部２１と同様にして、その文字認識された文字列２６が記憶装置４１に前に記録された文字列に一致しているときに、その文字列２６を記憶装置４１に記録しないようにすることもできる。このような記録動作によれば、映像表示装置４０は、同一の文字列が次々に表示される映像が入力されたときに、その文字列を何度も繰り返して記録しないようになり、記憶装置４１に記録される情報の情報量をより低減することができる。
【００４１】
映像表示装置４０は、既述の実施の形態における操作部２とモニタ７と文字表示部２３とが追加されることができる。その文字列表示部２３は、操作部２を介して入力された情報に基づいて記憶装置４１に記録された複数の文字列からいくつかの文字列を選択し、操作部２を介して入力された表示形式でその選択された文字列をモニタ７に表示する。
【００４２】
このような文字列を記録する動作によれば、ユーザは、映像２５に映し出される文字列２６が見難い場合であっても、ユーザ自身が読みやすい表示形式でモニタ７にその文字列を表示させることにより、その文字列を容易に確認することができる。
【００４３】
映像表示装置４０は、既述の実施の形態におけるモニタ７と映像合成部２２とが追加されることができる。その映像合成部２２は、入力された映像２５の内に文字列部分２７が発見されたときに、映像２５に文字列２６を囲む枠２９が合成された合成映像２８を生成する。映像合成部２２は、さらに、その合成された合成映像２８をモニタ７に表示する。
【００４４】
このような表示動作によれば、ユーザは、映像のどの部分が文字として検出されたかを容易に知ることが可能であり、好ましい。なお、枠２９は、文字列部分２７の位置をユーザに認識させる他の表現に置換することもできる。その表現としては、文字列部分２７を楕円で囲むこと、文字列部分２７を反転表示させることが例示される。
【００４５】
なお、映像表示装置４０に入力される映像としては、テレビ放送（たとえば、１セグ放送）された映像、録画された映像が例示される。テレビ放送された映像は、一般的に、録画されないときに、その映像に映し出される文字列をユーザが後で確認することができない。映像表示装置４０は、テレビ放送される映像に映し出される文字列を記憶装置４１に記録するときに、その映像を録画することなしに、その映像に映し出される文字列を後でユーザに提供することができる。映像表示装置４０は、さらに、その文字列を記録媒体に記録することにより、他の情報処理装置によるその文字列の利用をより容易にすることができる。
【００４６】
映像に映し出される文字列を記録したときの情報量は、一般的に、その映像を録画したときの情報量に比較して、より小さい。すなわち、映像表示装置４０は、その映像を録画することに比較して、その映像に映し出される文字列の内容をより少ない情報量で保存することができる。映像表示装置４０は、さらに、映像を録画することに比較して、文字列を記録する対象である映像を長時間化することができる。
【００４７】
映像表示装置４０は、テレビ放送された映像と異なる他の映像に映し出される文字列を記憶装置４１に記録する場合であっても、同様にして、その文字列の利用をより容易にし、その映像に映し出される文字列の内容をより少ない情報量で保存することができる。
【００４８】
本発明による映像表示装置の実施のさらに他の形態は、コンピュータを備え、そのコンピュータにソフトウェアがインストールされることにより構築されている。そのソフトウェアは、既述の実施の形態における映像表示装置１が備える電気回路が実行する動作を示す複数のコンピュータプログラムを備えている。すなわち、そのソフトウェアは、携帯通信プログラムとモード選択プログラムとデータ解析プログラムと音声デコーダプログラムと映像デコーダプログラムと切り出しエンジンプログラムと認識エンジンプログラムと文字列記録プログラムと映像合成プログラムと文字列表示プログラムとを備えている。
【００４９】
その携帯通信プログラムは、携帯通信部１４が実行する動作を示している。そのモード選択プログラムは、モード選択部１５が実行する動作を示している。そのデータ解析プログラムは、データ解析部１６が実行する動作を示している。その音声デコーダプログラムは、音声デコーダ１７が実行する動作を示している。その映像デコーダプログラムは、映像デコーダ１８が実行する動作を示している。その切り出しエンジンプログラムは、切り出しエンジン１９が実行する動作を示している。その認識エンジンプログラムは、認識エンジン２０が実行する動作を示している。その文字列記録プログラムは、文字列記録部２１が実行する動作を示している。その映像合成プログラムは、映像合成部２２が実行する動作を示している。その文字列表示プログラムは、文字列表示部２３が実行する動作を示している。
【００５０】
このような映像表示装置は、既述の実施の形態における映像表示装置１と同様にして動作することにより、映像の内容をより小さい情報量で記録することができ、その文字列をより容易に確認することができる。
【図面の簡単な説明】
【００５１】
【図１】図１は、本発明による映像表示装置の実施の形態を示すブロック図である。
【図２】図２は、映像の例を示す図である。
【図３】図３は、合成映像の例を示す図である。
【図４】図４は、文字列を整理するテーブルを示す図である。
【図５】図５は、文字列を記録する動作を示すフローチャートである。
【図６】図６は、文字列を表示する動作を示すフローチャートである。
【図７】図７は、本発明による映像表示装置の実施の他の形態を示すブロック図である。
【符号の説明】
【００５２】
１  ：映像表示装置
２  ：操作部
３  ：通信装置
５  ：マイク
６  ：スピーカ
７  ：モニタ
８  ：チューナ
１０：文字検出部
１１：ビデオＲＡＭ
１２：記憶装置
１４：携帯通信部
１５：モード選択部
１６：データ解析部
１７：音声デコーダ
１８：映像デコーダ
１９：切り出しエンジン
２０：認識エンジン
２１：文字列記録部
２２：映像合成部
２３：文字列表示部
２４：ＯＣＲ辞書
２５：映像
２６：文字列
２７：文字列部分
２８：合成映像
２９：枠
３１：テーブル
３２：文字列識別子集合
３３：文字列集合
【図１】
0005354145.tif 000002
【図２】
0005354145.tif 000003
【図３】
0005354145.tif 000004
【図４】
0005354145.tif 000005
【図５】
0005354145.tif 000006
【図６】
0005354145.tif 000007
【図７】
0005354145.tif 000008